(57)【要約】 【課題】白色表示の際にＲＧＢの各画素において発光素子へ供給する電流の差が大きいことに起因する輝度ムラを改善する。【解決手段】Ｒの画素ＰxR、Ｂの画素ＰxBおよびＧの画素ＰxGと、画素ＰxRと画素ＰxBとの間に設けられた第１の遮光部と、画素ＰxBと画素ＰxGとの間の第２の遮光部と、を備え、第１の遮光部の巾と第２の遮光部との巾が異なることを特徴とする電気光学装置を提供する。この電気光学装置は、画素ＰxRの発光領域ＨRを覆うカラーフィルター８１Rと、画素ＰxBの発光領域ＨBを覆うカラーフィルター８１Bと、画素ＰxGの発光領域ＨGを覆うカラーフィルター８１Gと、を備える。カラーフィルター８１Bは、発光領域ＨRへ張り出す張り出し部８００を有し、張り出し部８００が前記第１の遮光部である。【選択図】図４
2019012621.tif 000002
【特許請求の範囲】
【請求項１】
第１の画素、第２の画素および第３の画素と、
前記第１の画素と前記第２の画素との間に設けられた第１の遮光部と、
前記第２の画素と前記第３の画素との間の第２の遮光部と、を備え、
前記第１の遮光部の巾と前記第２の遮光部の巾とが異なる
ことを特徴とする電気光学装置。
【請求項２】
前記第１の画素、前記第２の画素、および前記第３の画素の各々は、発光素子を備え、
白色表示の際に各発光素子へ供給する電流の電流値は、前記第１の画素の発光素子へ供給する電流の電流値が最も小さく、
前記第１の遮光部の巾は前記第２の遮光部の巾よりも大きい
ことを特徴とする請求項１に記載の電気光学装置。
【請求項３】
前記第１の画素の発光領域を覆う第１のカラーフィルターと、
前記第２の画素の発光領域を覆う第２のカラーフィルターと、
前記第３の画素の発光領域を覆う第３のカラーフィルターと、
を備え、
前記第１のカラーフィルターは前記第２のカラーフィルターおよび前記第３のカラーフィルターに比較して波長の長い光を透過させ、
前記第２のカラーフィルターは、前記第１の画素の発光領域へ張り出す張り出し部を有し、
前記第１の遮光部は、前記張り出し部である、
ことを特徴とする請求項２に記載の電気光学装置。
【請求項４】
前記第２のカラーフィルターは前記第３のカラーフィルターに比較して波長の短い光を透過させることを特徴とする請求項３に記載の電気光学装置。
【請求項５】
前記第１の画素は前記第２の画素に挟まれていることを特徴とする請求項４に記載の電気光学装置。
【請求項６】
前記第１の遮光部および前記第２の遮光部のうちの少なくとも一方は、ブラックマトリクスであることを特徴とする請求項１乃至５のうち何れか１項に記載の電気光学装置。
【請求項７】
請求項１乃至６のうち何れか１項に記載の電気光学装置を備えることを特徴とする電子機器。
【発明の詳細な説明】
【技術分野】
【０００１】
本発明は、電気光学装置、および電子機器に関する。
【背景技術】
【０００２】
近年、シリコンＯＬＥＤ（Organic Light Emitting Diode）素子等の発光素子とこの発光素子に電流を供給する駆動トランジスターとを有する画素を用いて画像を表示する電気光学装置が各種提案されている。このような電気光学装置では、一般的に、複数の画素から構成される画素ブロックにより１つの表示単位が形成される。例えば、赤色（以下、Ｒと表記）を表示する画素と、緑色（以下、Ｇと表記）を表示する画素と、青色（以下、Ｂと表記）を表示する画素と、からなる画素ブロックにより１つの表示単位を形成することで、フルカラーの画像を表示することが可能となる。
【０００３】
フルカラーの画像を表示可能な電気光学装置において、所望の白色輝度および色座標を実現するためには、共振構造、ＥＬ素子特性、カラーフィルターの特性を考慮して、Ｒ、ＧおよびＢの各画素において発光素子に供給する電流の電流値を調整する必要がある。その結果、所望の白色表示を行うときにＲ、ＧおよびＢの各画素の発光素子に供給する電流の電流値は異なることとなる。この電流値の差に起因して画素の寿命にばらつきが発生する、といった問題があった。大きな電流が流れる発光素子ほど劣化しやすくなるからである。特許文献１には、Ｒ、ＧおよびＢの画素毎に設けられた発光素子において、光を発光する発光領域の面積を調整することで、画素の寿命を揃える技術が開示されている。より詳細に説明すると、特許文献１に開示の技術で、白色表示の際に発光素子に供給する電流の電流値がＢの画素において最も大きい場合に、Ｂの発光領域の面積を最も大きくすることが開示されている。このようにすることで、電気光学装置の表示画像を遠くから見たときのＢの輝度を高くできるのでＢの画素において発光素子に供給する電流を抑えつつ所望の白色表示を行え、画素の寿命を揃えることができる。
【先行技術文献】
【特許文献】
【０００４】
【特許文献１】特開２００８−３００３６７号公報
【発明の概要】
【発明が解決しようとする課題】
【０００５】
ところで、フルカラーの画像を表示可能な電気光学装置において白色表示の際にＲ、ＧおよびＢの各画素において発光素子に供給する電流の電流値に差があることに起因する問題は、画素の寿命にばらつきが生じることだけではない。例えば、マイクロディスプレイにおいては、１００ｎＡ以下の微小電流で階調を制御するが、発光素子への供給電流を制御する駆動トランジスターは供給電流が小さいほど特性のばらつきが大きい。このため、発光素子に供給する電流の電流値が最も小さい画素（例えば、Ｒの画素）において輝度ムラが視認され易くなる、といった問題があった。このような輝度ムラは特許文献１に開示の技術では改善できない。その理由は以下の通りである。
【０００６】
電気光学装置の表示面の面積をＳ、Ｒの発光領域の面積をＳR、同発光領域の発光輝度をＬR1とすると、同表示面を遠くから見たときのＲの輝度ＬRは以下の式（１）で表される。
ＬR＝ＬR1×ＳR／Ｓ・・・（１）
【０００７】
Ｒの発光領域の発光輝度ＬR1は、同発光領域における電流密度ＪRが大きいほど高くなる。また、Ｒの発光領域に属する画素において発光素子に流れる電流ＩRと電流密度ＪRとの間には以下の式（２）の関係がある。
ＩR＝ＪR×ＳR・・・（２）
【０００８】
発光輝度ＬR1は電流密度ＪRが大きいほど高くなるのであるから、電気光学装置の表示面を遠くから見たときのＲの輝度ＬRを一定に保ちつつ発光輝度ＬR1（換言すれば、電流密度ＪＲ）を大きくするには、Ｒの発光領域の面積ＳRを小さくすれば良い。しかし、式（２）の関係があるため、電流密度ＪRの増分は面積ＳRの減少分で相殺され、電流ＩRは変化しない。これが、特許文献１に開示の技術では上記輝度ムラを改善できない理由である。
【０００９】
本発明は、上述した事情を鑑みてなされたものであり、ＲＧＢの各画素において白色表示の際に発光素子へ供給する電流の差が大きいことに起因する輝度ムラを改善する技術を提供することを、解決課題の一つとする。
【課題を解決するための手段】
【００１０】
以上の課題を解決するために、本発明に係る電気光学装置は、第１の画素、第２の画素および第３の画素と、前記第１の画素と前記第２の画素との間に設けられた第１の遮光部と、前記第２の画素と前記第３の画素との間の第２の遮光部と、を備え、前記第１の遮光部の巾と前記第２の遮光部の巾とが異なることを特徴とする。
【００１１】
本発明によれば、電気光学装置を遠くから見た場合における第１の画素、第２の画素および第３の画素の各々が属する発光領域から射出される光の輝度を、発光領域の巾に対する第１或いは第２の遮光部により覆われていない発光領域の巾（すなわち、画素の開口部の巾））の比率（以下、画素の開口率）で調整することが可能となる。これにより、ＲＧＢの各画素において白色表示の際に発光素子へ供給する電流の差が大きいことに起因する輝度ムラを改善することができる。
【００１２】
より詳細に説明すると、上述した電気光学装置は、前記第１の画素、前記第２の画素、および前記第３の画素の各々は、発光素子を備え、白色表示の際に各発光素子へ供給する電流の電流値は、前記第１の画素の発光素子へ供給する電流の電流値が最も小さく、前記第１の遮光部の巾は前記第２の遮光部の巾よりも大きいことが好ましい。
【００１３】
本態様において、第１の画素がＲの画素であり、上述した電気光学装置の表示部の面積をＳ、Ｒの発光領域の面積をＳR、同発光領域の発光輝度をＬR1、Ｒの画素の開口率をＴとすると、同発光領域を遠くから見たときの輝度ＬRは式（３）で表される。
ＬR＝ＬR1×Ｔ×ＳR／Ｓ・・・（３）
本態様によれば、Ｔを小さくすることで、Ｒの発光領域の面積ＳRを小さくしなくても、輝度ＬRを一定に保ちつつ発光輝度ＬR1（換言すれば、電流密度ＪR）を大きくすること、すなわちＲの画素の発光素子に流れる電流の電流値を大きくすることができ、輝度ムラを改善することができる。
【００１４】
上述した電気光学装置は、前記第１の画素の発光領域を覆う第１のカラーフィルターと、前記第２の画素の発光領域を覆う第２のカラーフィルターと、前記第３の画素の発光領域を覆う第３のカラーフィルターと、を備え、前記第１のカラーフィルターは第２および第３のカラーフィルターに比較して波長の長い光を透過させ、前記第２のカラーフィルターは前記第１の画素の発光領域へ張り出す張り出し部を有し、前記第１の遮光部は前記張り出し部である、ことを特徴としても良い。
【００１５】
上述した電気光学装置は、前記第２のカラーフィルターは前記第３のカラーフィルターに比較して短い波長の光を透過させることを特徴としても良い。ＲＧＢの各画素を用いてフルカラーの画像を表示する場合、上記第２のカラーフィルターは青色の光を透過させるカラーフィルターである。本態様によれば、第２のカラーフィルターが緑色の光を透過させるカラーフィルターである場合に比較して、上記張り出し部によるＲの光の遮光効率が高くなる、といった効果が奏される。
【００１６】
上述した電気光学装置は、前記第１の画素は前記第２の画素に挟まれていることを特徴としても良い。
【００１７】
上述した電気光学装置は、前記第１の遮光部および前記第２の遮光部のうちの少なくとも一方は、ブラックマトリクスであることを特徴としても良い。本態様によれば、第２の遮光部を発光領域へのカラーフィルターの張り出しで実現する場合に比較して高い遮光効率が得られる、といった効果が奏される。
【００１８】
また、本発明は、電気光学装置のほか、当該電気光学装置を備える電子機器として概念することも可能である。電子機器としては、典型的にはヘッドマウント・ディスプレイ（ＨＭＤ）や電子ビューファイダーのなどの表示装置が挙げられる。
【図面の簡単な説明】
【００１９】
【図１】本発明の第１実施形態に係る電気光学装置１の構成の一例を示すブロック図である。
【図２】画素Ｐxの構成の一例を示す等価回路図である。
【図３】表示部１２の構成の一例を示す平面図である。
【図４】表示部１２の構成の一例を示す部分断面図である。
【図５】画素Ｐxの発光特性とカラーフィルターの分光特性を示す図である。
【図６】表示部１２の構成要素のサイズ例を示す図である。
【図７】表示部１２の構成要素のサイズ例を示す図である。
【図８】本発明の第２実施形態に係る電気光学装置１の表示部１２Ｂの構成の一例を示す平面図である。
【図９】本発明の第２実施形態に係る電気光学装置１の表示部１２Ｂの構成の一例を示す部分断面図である。
【図１０】本発明の第２実施形態に係る電気光学装置１の表示部１２Ｂの構成要素のサイズ例を示す図である。
【図１１】本発明の第３実施形態に係る電気光学装置１の表示部１２Ｃの構成の一例を示す平面図である。
【図１２】本発明の第３実施形態に係る電気光学装置１の表示部１２Ｃの構成の一例を示す部分断面図である。
【図１３】本発明の第４実施形態に係る電気光学装置１の表示部１２Ｄの構成の一例を示す平面図である。
【図１４】本発明の第４実施形態に係る電気光学装置１の表示部１２Ｄの構成の一例を示す部分断面図である。
【図１５】本発明の第５実施形態に係る電気光学装置１の表示部１２Ｅの構成の一例を示す平面図である。
【図１６】本発明の第５実施形態に係る電気光学装置１の表示部１２Ｅの構成の一例を示す部分断面図である。
【図１７】本発明の第６実施形態に係る電気光学装置１の表示部１２Ｆの構成の一例を示す平面図である。
【図１８】本発明に係るヘッドマウントディスプレイ３００の斜視図である。
【図１９】本発明に係るパーソナルコンピューター４００の斜視図である。
【発明を実施するための形態】
【００２０】
以下、本発明を実施するための形態について図面を参照して説明する。ただし、各図において、各部の寸法および縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２１】
＜Ａ．実施形態＞
以下、本実施形態に係る電気光学装置１を説明する。
【００２２】
＜１．電気光学装置の概要＞
図１は、本実施形態に係る電気光学装置１の構成の一例を示すブロック図である。
図１に例示するように、電気光学装置１は、複数の画素Ｐxを有する表示パネル１０と、表示パネル１０の動作を制御する制御回路２０とを備える。
【００２３】
制御回路２０には、図示省略された上位装置より、デジタルの画像データＶideoが同期信号に同期して供給される。ここで、画像データＶideoとは、表示パネル１０の各画素Ｐxが表示すべき階調レベルを規定するデジタルデータである。また、同期信号とは、垂直同期信号、水平同期信号、および、ドットクロック信号等を含む信号である。
制御回路２０は、同期信号に基づいて、表示パネル１０の動作を制御するための制御信号Ｃtrを生成し、生成した制御信号Ｃtrを表示パネル１０に対して供給する。また、制御回路２０は、画像データＶideoに基づいて、アナログの画像信号Ｖidを生成し、生成した画像信号Ｖidを表示パネル１０に対して供給する。ここで、画像信号Ｖidとは、各画素Ｐxが画像データＶideoの指定する階調を表示するように、当該画素Ｐxが備える発光素子の輝度を規定する信号である。
【００２４】
図１に例示するように、表示パネル１０は、＋Ｘ方向に延在するＭ本の走査線１３と、＋Ｙ方向に延在する３Ｎ本のデータ線１４と、Ｍ本の走査線１３と３Ｎ本のデータ線１４との交差に対応して配列された「Ｍ×３Ｎ」個の画素Ｐxを有する表示部１２と、表示部１２を駆動する駆動回路１１と、を備える（Ｍは１以上の自然数。Ｎは１以上の自然数）。
以下では、複数の画素Ｐx、複数の走査線１３、および、複数のデータ線１４を互いに区別するために、＋Ｙ方向から−Ｙ方向（以下、＋Ｙ方向およびＹ方向を「Ｙ軸方向」と総称する）に向けて順番に、第１行、第２行、…、第Ｍ行と称し、−Ｘ方向から＋Ｘ方向（以下、＋Ｘ方向およびＸ方向を「Ｘ軸方向」と総称する）に向けて順番に、第１列、第２列、…、第３Ｎ列と称する。また、以下では、Ｘ軸方向およびＹ軸方向に交差する＋Ｚ方向（上方向）およびＺ方向（下方向）を「Ｚ軸方向」と総称する。
【００２５】
表示部１２に設けられる複数の画素Ｐxには、赤色（Ｒ）を表示可能な画素ＰxRと、緑色（Ｇ）を表示可能な画素ＰxGと、青色（Ｂ）を表示可能な画素ＰxBと、が含まれる。そして、本実施形態では、ｎを「１≦ｎ≦Ｎを満たす自然数」として、第１列〜第３Ｎ列のうち、第（３ｎ−２）列には画素ＰxRが配置され、第（３ｎ−１）列には画素ＰxGが配置され、第３ｎ列には画素ＰxBが配置される場合を、一例として想定する。
また、以下では、ｍを「１≦ｍ≦Ｍを満たす自然数」とし、ｋを「１≦ｋ≦３Ｎを満たす自然数」として、第ｍ行第ｋ列の画素Ｐxを、画素Ｐx[m][k]と表現する場合がある。すなわち、本実施形態では、例えば、画素ＰxRを、画素ＰxR[m][3n-2]と表現することができ、画素ＰxGを、画素ＰxG[m][3n-1]と表現することができ、画素ＰxBを、画素ＰxB[m][3n]と表現することができる。
また、本実施形態では、Ｘ軸方向に隣り合う３つの画素ＰxR、ＰxG、および、ＰxBを、画素ブロックＢLと称することがある。すなわち、本実施形態では、表示部１２において、Ｍ行×Ｎ列の画素ブロックＢLがマトリクス状に配列されている場合を想定する。以下では、画素ＰxR[m][3n-2]、画素ＰxG[m][3n-1]、および、画素ＰxB[m][3n]を含む画素ブロックＢLを、画素ブロックＢL[m][n]と称する場合がある。
【００２６】
図１に例示するように、駆動回路１１は、走査線駆動回路１１１と、データ線駆動回路１１２と、を備える。
【００２７】
走査線駆動回路１１１は、第１行〜第Ｍ行の走査線１３を順番に走査（選択）する。具体的には、走査線駆動回路１１１は、１フレームの期間において、第１行〜第Ｍ行の走査線１３のそれぞれに対して出力する走査信号Ｇw[1]〜Ｇw[M]を、水平走査期間毎に順番に所定の選択電位に設定することで、走査線１３を行単位に水平走査期間毎に順番に選択する。換言すれば、走査線駆動回路１１１は、１フレームの期間のうち、ｍ番目の水平走査期間において、第ｍ行の走査線１３に出力する走査信号Ｇw[m]を、所定の選択電位に設定することで、第ｍ行の走査線１３を選択する。なお、１フレームの期間とは、電気光学装置１が１個の画像を表示する期間である。
【００２８】
データ線駆動回路１１２は、制御回路２０より供給される画像信号Ｖidおよび制御信号Ｃtrに基づいて、各画素Ｐxが表示すべき階調を規定するアナログのデータ信号Ｖd[1]〜Ｖd[3N]を生成し、生成したデータ信号Ｖd[1]〜Ｖd[3N]を、水平走査期間毎に、３Ｎ本のデータ線１４に対して出力する。換言すれば、データ線駆動回路１１２は、各水平走査期間において、第ｋ列のデータ線１４に対して、データ信号Ｖd[k]を出力する。
なお、本実施形態では、制御回路２０が出力する画像信号Ｖidはアナログの信号であるが、制御回路２０が出力する画像信号Ｖidはデジタルの信号であってもよい。この場合、データ線駆動回路１１２は、画像信号ＶidをＤ／Ａ変換し、アナログのデータ信号Ｖd[1]〜Ｖd[3N]を生成する。
【００２９】
図２は、各画素Ｐxと１対１に対応して設けられる画素回路１００の構成の一例を示す等価回路図である。なお、本実施形態では、複数の画素Ｐxに対応する複数の画素回路１００は、電気的には互いに同一の構成であることとする。図２では、第ｍ行第ｋ列の画素Ｐx[m][k]に対応して設けられる画素回路１００を例示して説明する。
【００３０】
画素回路１００は、発光素子３と、発光素子３に対して電流を供給するための供給回路４０と、を備える。
【００３１】
発光素子３は、画素電極３１と、発光機能層３２と、共通電極３３とを備える。画素電極３１は、発光機能層３２に正孔を供給する陽極として機能する。共通電極３３は、画素回路１００の低電位側の電源電位である電位Ｖctに設定された給電線１６に電気的に接続され、発光機能層３２に電子を供給する陰極として機能する。そして、画素電極３１から供給される正孔と、共通電極３３から供給される電子とが発光機能層３２で結合し、発光機能層３２が白色に発光する。
なお、詳細は後述するが、画素ＰxRが有する発光素子３（以下、発光素子３Rと称する）には、赤色のカラーフィルター８１Rが重ねて配置される。画素ＰxBが有する発光素子３（以下、発光素子３Bと称する）には、青色のカラーフィルター８１Bが重ねて配置される。そして、画素ＰxGが有する発光素子３（以下、発光素子３Gと称する）には、緑色のカラーフィルター８１Gが重ねて配置される。このため、画素ＰxR、ＰxG、および、ＰxBにより、フルカラーの表示が可能となる。
【００３２】
供給回路４０は、Ｐチャネル型のトランジスター４１および４２と、保持容量４４と、を備える。なお、トランジスター４１および４２の一方または両方は、Ｎチャネル型のトランジスターであってもよい。また、本実施形態では、トランジスター４１および４２が、薄膜トランジスターの場合を例示して説明するが、トランジスター４１および４２は、ＭＯＳＦＥＴ（metal-oxide-semiconductor field-effect transistor）等の電界効果トランジスターであってもよい。
【００３３】
トランジスター４１は、ゲートが、第ｍ行の走査線１３に電気的に接続され、ソースまたはドレインの一方が、第ｋ列のデータ線１４に電気的に接続され、ソースまたはドレインの他方が、トランジスター４２のゲートと、保持容量４４が有する２つの電極のうち一方の電極と、に電気的に接続されている。
トランジスター４２は、ゲートが、トランジスター４１のソースまたはドレインの他方と、保持容量４４の一方の電極と、に電気的に接続され、ソースまたはドレインの一方が、画素電極３１に電気的に接続され、ソースまたはドレインの他方が、画素回路１００の高電位側の電源電位である電位Ｖelに設定された給電線１５に電気的に接続されている。
保持容量４４は、保持容量４４が有する２つの電極のうち一方の電極が、トランジスター４１のソースまたはドレインの他方と、トランジスター４２のゲートと、に電気的に接続され、保持容量４４が有する２つの電極のうち他方の電極が、給電線１５に電気的に接続されている。保持容量４４は、トランジスター４２のゲートの電位を保持する保持容量として機能する。
【００３４】
走査線駆動回路１１１が、走査信号Ｇw[m]を所定の選択電位に設定し、第ｍ行の走査線１３を選択すると、第ｍ行第ｋ列の画素Ｐx[m][k]に設けられたトランジスター４１がオンする。そして、トランジスター４１がオンすると、第ｋ列のデータ線１４から、トランジスター４２のゲートに対して、データ信号Ｖd[k]が供給される。この場合、トランジスター４２は、発光素子３に対して、ゲートに供給されたデータ信号Ｖd[k]の電位（正確には、ゲートおよびソース間の電位差）に応じた電流を供給する。つまり、トランジスター４２は発光素子３へ電流を供給する駆動トランジスターである。発光素子３は、トランジスター４２から供給される電流の大きさに応じた輝度、すなわち、データ信号Ｖd[k]の電位に応じた輝度で発光する。
その後、走査線駆動回路１１１が、第ｍ行の走査線１３の選択を解除して、トランジスター４１がオフした場合、トランジスター４２のゲートの電位は、保持容量４４により保持される。このため、発光素子３は、トランジスター４１がオフした後も、データ信号Ｖd[k]に応じた輝度で発光することができる。
【００３５】
＜２．表示部１２の構成＞
以下、図３および図４を参照しつつ、本実施形態に係る表示部１２の構成の一例を説明する。
図３は、本実施形態に係る表示部１２の一部を、電気光学装置１が光を出射する方向である＋Ｚ方向から平面視した場合の、表示部１２の概略的な構成の一例を示す平面図である。具体的には、図３には、表示部１２における画素ブロックＢL[m][n]が示されている。上述のとおり、画素ブロックＢL[m][n]は、画素ＰxR[m][3n-2]、画素ＰxG[m][3n-1]、および、画素ＰxB[m][3n]を含む。
【００３６】
画素ＰxR[m][3n-2]は発光素子３Rを、画素ＰxG[m][3n-1]は発光素子３Gを、画素ＰxB[m][3n]は発光素子３Bを夫々有する。発光素子３Rは発光領域ＨRを、発光素子３Gは発光領域ＨGを、発光素子３Bは発光領域ＨBを夫々有する。発光領域ＨR、ＨGおよびＨBの各々は、＋Ｚ方向に向けて光を出射する。本実施形態では、図３に示すように、各画素ブロックＢLにおいて、画素ＰｘRは画素ＰｘGの＋Ｙ方向に位置し、画素ＰｘBは、画素ＰxRおよび画素ＰｘGの＋Ｘ方向に位置する場合を想定する。この場合、図３に示すように、画素ブロックＢL[m][n]に属する画素ＰxRは、画素ブロックＢL[m][n]に属する画素ＰxBと、画素ブロックＢL[m][n-1]に属する画素ＰxBに挟まれることになる。なお、以下では、平面視して、発光領域ＨBは、発光領域ＨRよりも大きく、かつ発光領域ＨBは発光領域ＨGよりも大きい場合を想定する。また、図３において、コンタクト７Rは画素ＰxRにおいて画素電極３１と供給回路４０とを電気的に接続するための構成要素であり、コンタクト７Gは画素ＰxGにおいて画素電極３１と供給回路４０とを電気的に接続するための構成要素であり、コンタクト７Bは画素ＰxBにおいて画素電極３１と供給回路４０とを電気的に接続するための構成要素である。
【００３７】
図４は、表示部１２を、図３におけるＥ−ｅ線で破断した部分断面図の一例である。図４に示すように、表示部１２は、素子基板５と、保護基板９と、素子基板５および保護基板９の間に設けられた接着層９０（「充填層」の一例）と、を備える。なお、本実施形態では、電気光学装置１が保護基板９側（＋Ｚ側）から光を出射するトップエミッション方式である場合を想定する。
【００３８】
接着層９０は、素子基板５および保護基板９を接着するための透明な樹脂層である。接着層９０は、例えば、有機エポキシなどのエポキシ樹脂や、アクリル樹脂等の透明な樹脂材料を用いて形成される。
保護基板９は、接着層９０の＋Ｚ側に配置される透明な基板である。保護基板９としては、例えば、石英基板やガラス基板等を採用することができる。
【００３９】
素子基板５は、基板５０と、基板５０上に積層された、反射層５１、距離調整層５２、発光層３０、封止層６０、バンク７０、および、カラーフィルター層８と、を備える。詳細は後述するが、発光層３０は、上述した発光素子３（３R、３G、３B）を含む。発光素子３は、＋Ｚ方向およびＺ方向に対して光を出射する。カラーフィルター層８は、上述したカラーフィルター８１R、カラーフィルター８１G、および、カラーフィルター８１Bを含む。
【００４０】
基板５０は、走査線１３やデータ線１４等の各種配線と、駆動回路１１や画素回路１００等の各種回路と、が実装された基板である。基板５０は、各種配線および各種回路を実装可能な基板であればよい。基板５０としては、例えば、シリコン基板、石英基板、または、ガラス基板等を採用することができる。基板５０の＋Ｚ側には、反射層５１が積層される。
反射層５１は、発光層３０の発光素子３から出射された光を＋Ｚ方向側に反射するための構成要素である。反射層５１は、反射率の高い材料、例えば、アルミニウムや銀等を用いて形成される。反射層５１の＋Ｚ側には、距離調整層５２が積層されている。
距離調整層５２は、発光層３０の発光素子３と反射層５１との間の光学的距離を調整するための、絶縁性の透明層である。距離調整層５２の厚さは、画素ＰｘR、画素ＰｘG、および画素ＰｘB毎に異なる。画素ＰｘR、画素ＰｘG、および画素ＰｘBの各々の光の共振波長に応じて距離調整層５２の厚さを設定することが好ましいからである。つまり、本実施形態では、画素ＰｘR、画素ＰｘG、および画素ＰｘB毎に光共振器が構成される。距離調整層５２は、絶縁性の透明材料、例えば、酸化シリコン（ＳｉＯｘ）等を用いて形成される。距離調整層５２の＋Ｚ側には、発光層３０が積層されている。図４に示す例では、説明を簡略化するため画素ＰｘR、画素ＰｘG、および画素ＰｘBにおける距離調整層５２の厚さは一定にしてあるが、距離調整層５２の厚さを画素ＰｘR、画素ＰｘG、および画素ＰｘB毎に光の共振波長に応じて定まる厚さに設定することが好ましい。
【００４１】
発光層３０は、距離調整層５２上に積層された画素電極３１と、距離調整層５２および画素電極３１上に積層された絶縁膜３４と、画素電極３１および絶縁膜３４を覆うように積層された発光機能層３２と、発光機能層３２上に積層された共通電極３３と、を有する。
画素電極３１は、画素Ｐx毎に個別に島状に形成された、導電性を有する透明層である。画素電極３１は、導電性の透明材料、例えば、ＩＴＯ（Indium Tin Oxide）やＩＺＯ（Indium Zinc Oxide）等を用いて形成される。
絶縁膜３４は、各画素電極３１の周縁部を覆うように配置され、発光領域ＨR、発光領域ＨGおよび発光領域ＨBの各々を区画する絶縁性の構成要素である。絶縁膜３４は、絶縁性の材料、例えば、酸化シリコン等を用いて形成される。
共通電極３３は、複数の画素Ｐxに跨るように配置された、光透過性と光反射性とを有する導電性の構成要素である。共通電極３３は、例えば、ＭｇとＡｇとの合金等を用いて形成される。
発光機能層３２は、正孔注入層、正孔輸送層、有機発光層、および、電子輸送層を備え、複数の画素Ｐxに跨るように配置されている。上述のとおり、発光機能層３２は、画素電極３１のうち絶縁膜３４により覆われていない部分から正孔の供給を受け、白色に発光する。すなわち、平面視した場合に、発光層３０のうち、画素電極３１が絶縁膜３４により覆われていない部分が、光を発光する発光領域Ｈに該当する。白色光とは、赤色の光、緑色の光、および、青色の光を含む光である。
【００４２】
本実施形態では、反射層５１と共通電極３３とにより、光共振構造が形成されるように、距離調整層５２の膜厚が調整される。そして、発光機能層３２から出射された光は、反射層５１と共通電極３３との間で繰り返し反射され、反射層５１と共通電極３３との間の光学的距離に対応する波長の光の強度が強められ、当該強められた光が、共通電極３３〜保護基板９を介して＋Ｚ側に出射される。
【００４３】
図４では、詳細な図示を省略したが、封止層６０は、共通電極３３上に積層された下側封止層と、下側封止層上に積層された平坦化層と、平坦化層上に積層された上側封止層と、を備える。
下側封止層および上側封止層は、複数の画素Ｐxに跨るように配置された、絶縁性を有する透明層である。下側封止層および上側封止層は、水分や酸素等の発光層３０への侵入を抑止するための構成要素であり、例えば、酸化シリコン（ＳｉＯｘ）、窒化シリコン（ＳｉＮｘ）、または、酸化アルミニウム（ＡｌｘＯｙ）等の無機材料を用いて形成される。
平坦化層は、複数の画素Ｐxに跨るように配置された透明層であり、平坦な上面（＋Ｚ側の面）を提供するための構成要素である。平坦化層は、例えば、エポキシ樹脂、アクリル樹脂、ウレタン樹脂、若しくは、シリコン樹脂等の樹脂材料、または、シリコン酸化物等の無機材料を用いて形成される。
【００４４】
前述したように、カラーフィルター層８は、光透過性を有するバンク７０、第１のカラーフィルターであるカラーフィルター８１R、第２のカラーフィルターであるカラーフィルター８１B、および、第３のカラーフィルターであるカラーフィルター８１Bを含む。図４に示すように、カラーフィルター層８の＋Ｚ側には、カラーフィルター層８を覆うように接着層９０が設けられ、接着層９０の＋Ｚ側には、保護基板９が設けられる。
【００４５】
図４に示すように、カラーフィルター８１Gは、発光領域ＨGの＋Ｚ側において、平面視して発光領域ＨGを覆うように、封止層６０上（すなわち、上側封止層上）に形成される。また、カラーフィルター８１Bは、発光領域ＨBの＋Ｚ側において、平面視して発光領域ＨBを覆うように、封止層６０とカラーフィルター８１Gとの上に形成される。また、カラーフィルター８１Rは、発光領域ＨRの＋Ｚ側において、平面視して発光領域ＨRを覆うように、封止層６０とカラーフィルター８１Gとカラーフィルター８１Rの上に形成される。カラーフィルター８１Rは、赤色の色材を含む感光性樹脂材料から形成され、カラーフィルター８１Gは、緑色の色材を含む感光性樹脂材料から形成され、カラーフィルター８１Bは、青色の色材を含む感光性樹脂材料から形成される。
【００４６】
図５は、発光領域Ｈから射出される白色光に含まれる赤色の光、緑色の光、および青色の光の各々のスペクトルＳＰＲ、ＳＰＧおよびＳＰＢと、カラーフィルター８１R、カラーフィルター８１G、およびカラーフィルター８１Bの各々の分光特性ＦＲ、ＦＧおよびＦＢの一例を示す図である。図５に示すように、カラーフィルター８１Rは、赤色の光を透過させるものの、青色および緑色の光は透過させない。カラーフィルター８１Gは、緑色の光を透過させるものの、青色および赤色の光については各々の一部を透過させるものの、残りを遮光する。そして、カラーフィルター８１Bは、青色の光を透過させるものの、緑色の光についてはその一部を透過させる。また、カラーフィルター８１Bは、赤色の光を透過させない。
【００４７】
図４に示すように、カラーフィルター８１Bは発光領域ＨRに張り出す張り出し部８００を有する。張り出し部８００はバンク７０の上に設けられている。前述したように、カラーフィルター８１Bは赤色の光を透過させないのであるから、張り出し部８００は、発光領域ＨRから射出された白色光に含まれる赤色の光を遮光する遮光部の役割を果たす。つまり、本実施形態の表示部１２では、張り出し部８００のＸ方向の巾の分だけ画素ＰｘRの開口部の巾は狭くなり、画素ＰｘＲの開口率は小さくなる。ここで、画素ＰxRの開口率とは、画素ＰxRの発光領域ＨRの巾に対する画素ＰxRの開口部の巾の比のことを言う。本実施形態においてカラーフィルター８１Bに張り出し部８００を設けた理由は次の通りである。カラーフィルター８１Bは赤色の光を透過させない一方、カラーフィルター８１Gは赤色の光の一部を透過させるので、カラーフィルター８１Gに張り出し部８００を設ける場合に比較して、カラーフィルター８１Bに張り出し部を設けた方が赤色の光の遮光効率が高くなるからである。
【００４８】
＜３．実施形態の効果＞
本実施形態において表示部１２の表示面の面積をＳ、発光領域ＨRの面積をＳR、発光領域ＨRの発光輝度をＬR1、画素ＰｘＲの開口率をＴとすると、発光領域ＨRを遠くから見たときの輝度ＬRは式（３）で表される。
ＬR＝ＬR1×Ｔ×ＳR／Ｓ・・・（３）
本態様によれば、Ｔを小さくすることで、発光領域ＨRの面積ＳRを小さくしなくても輝度ＬRを一定に保ちつつＲの発光領域の発光輝度ＬR1（換言すれば、電流密度ＪR）を大きくすること、すなわちＲの画素の発光素子に流れる電流の電流値を大きくすることができる。その結果、発光素子３Rへの供給電流を制御する駆動トランジスター（トランジスター４２）のばらつきに起因する輝度ムラを改善することができる。
【００４９】
例えば、画素ブロックＢLにおける画素ＰxBの−Ｘ方向の端部から画素ＰxRの＋Ｘ方向の端部までの長さが７．５μｍの表示部１２において、１０００ｃｄ／ｍ２かつ色度（ｘ、ｙ）＝（０．３１，０．３１）の白色表示を行う場合、上記張り出し部がない場合のＲ、ＧおよびＢの電流比が１：１．８：２であったとする。すなわち、白色表示時の際に画素ＰｘＲの発光素子に流れる電流が最も小さかったとする。この場合、発光領域ＨRのＸ方向の巾Ｌ1R、画素ＰxRの開口部のＸ方向の巾Ｌ2Rを図６に示すように定めておく。なお、Ｌ1RおよびＬ2Rの単位はμｍである（後述のＬ1G、Ｌ2G、Ｌ1BおよびＬ2Bについても同じ）。同様に、発光領域ＨGのＸ方向の巾Ｌ1G、画素ＰxGの開口部のＸ方向の巾Ｌ2G、発光領域ＨBのＸ方向の巾Ｌ1B、および画素ＰxBの開口部のＸ方向の巾Ｌ2Bを、それぞれ図６に示すように定めておく。この場合、画素PｘRの開口率Ｔ（Ｌ2R／Ｌ1R）は０．５５となり、上記張り出し部を設けない場合に比較して発光素子３Rに流れる電流ＩRを約２倍に大きくして上記白色表示を行うことが可能になる。本実施形態によれば、白色表示を行う際のＲ、ＧおよびＢの電流比は例えば１：１．２：１．３となり、発光素子３Rへの供給電流を制御する駆動トランジスターにも、発光素子３G或いは３Gへの供給電流を制御する駆動トランジスターと同程度の大きさの電流が流れる。よって、発光素子３Rへの供給電流を制御する駆動トランジスターのばらつきに起因するＲの画素の輝度ムラが改善される。なお、画素ブロックＢLにおける画素ＰxBの−Ｘ方向の端部から画素ＰxRの＋Ｘ方向の端部までの長さが５．１μｍの表示部１２において１０００ｃｄ／ｍ２かつ色度（ｘ、ｙ）＝（０．３１，０．３１）の白色表示を行う場合には、Ｌ1R、Ｌ2R、Ｌ1G、Ｌ2G、Ｌ1B、およびＬ2Bの各々を図７に示すように定めておけば同様の効果が得られる。なお、Ｒ画素におけるＬ1に対するＬ2の比（Ｌ2／Ｌ1）は、図６に示す例では０．５３であり、図７に示す例では０．５５であるが、０．４〜０．８の範囲の値であれば良い。
【００５０】
本実施形態では、表示領域ＨRへ張り出す張り出し部をカラーフィルター８１Bに設けることで、カラーフィルター８１Bに、発光領域ＨRから射出される白色光に含まれる赤色の光を遮光する遮光部の役割を担わせた。しかし、表示領域ＨGへ張り出す張り出し部をカラーフィルター８１B或いはカラーフィルター８１Rに設けることで、カラーフィルター８１B或いはカラーフィルター８１Rに、発光領域ＨGから射出される白色光に含まれる緑色の光を遮光する遮光部の役割を担わせても良い。同様に、カラーフィルター８１Rに表示領域ＨBへ張り出す張り出し部を設けることで、カラーフィルター８１Rに、発光領域ＨBから射出される白色光に含まれる青色の光を遮光する遮光部の役割を担わせても良い。なお、カラーフィルター８１Gに表示領域ＨBへ張り出す張り出し部を設けることで、発光領域ＨBから射出される白色光に含まれる青色の光を遮光する遮光部の役割をカラーフィルター８１Gに担わせることも可能ではあるが、遮光効率を考慮するとカラーフィルター８１Rに遮光部の役割を担わせることが好ましい。上記のように複数種の遮光部を設け、各遮光部の発光領域への張り出し巾をきめ細かく調整することで、白色表示の際にＲＧＢの各画素において発光素子３へ供給する電流をきめ細かく調整することが可能になる。ただし、白色表示の際にＲＧＢの発光素子３へ供給する電流の電流値が最も小さい画素の表示領域に対する張り出し巾が最も大きくなるようにしておく必要があることは勿論である。
【００５１】
＜Ｂ．その他の実施形態＞
以上の各形態は多様に変形され得る。具体的な他の実施形態を以下に例示する。以下の例示から任意に選択された２以上の態様は、相互に矛盾しない範囲内で適宜に併合され得る。なお、以下に例示する第２〜第６の実施形態において作用や機能が第１実施形態と同等である要素については、以上の説明で参照した符号を流用して各々の詳細な説明を適宜に省略する。
【００５２】
＜Ｂ−１．第２実施形態＞
図８は、本発明の第２実施形態に係る電気光学装置１の表示部１２Ｂの構成の一例を示す平面図である。図８と図３とを比較すれば明らかなように、本実施形態の表示部１２Ｂでは、Ｂ、Ｒ、およびＧの各色のストライプがＹ方向に沿って延在するように画素ＰxB、画素ＰxR、および画素ＰxGが配列されている点が第１実施形態の表示部１２と異なる。図９は、図８におけるＥ−ｅ線に沿った表示部１２Ｂの部分断面図である。図９を参照すれば明らかなように、表示部１２Ｂにおいてもカラーフィルター８１Bは、画素ＰxRの発光領域ＨRに張り出す張り出し部８００を有し、張り出し部８００は発光領域ＨRから射出される白色光に含まれる赤色の光を遮光する遮光部の役割を果たす。このような遮光部を有するため、画素ＰxRの開口部の幅Ｌ2Rは発光領域ＨRの巾Ｌ1Rよりも小さくなり、第１実施形態と同じ効果が奏される。例えば、画素ブロックＢLにおける画素ＰxBの−Ｘ方向の端部から画素ＰxRの＋Ｘ方向の端部までの長さが７．５μｍの表示部１２Ｂにおいて、１０００ｃｄ／ｍ２かつ色度（ｘ、ｙ）＝（０．３１，０．３１）の白色表示を行う場合、Ｌ1R、Ｌ2R、Ｌ1G、Ｌ2G、Ｌ1B、およびＬ2Bの各々を図１０に示すように定めておけば第１実施形態と同じ効果が得られる。
【００５３】
＜Ｂ−２．第３実施形態＞
図１１は、本発明の第３実施形態に係る電気光学装置１の表示部１２Ｃの構成の一例を示す平面図であり、図１２は、図１１におけるＥ−ｅ線に沿った表示部１２Ｃの部分断面図である。表示部１２Ｃの構成は、バンク７０を有さない点が表示部１２Ｂの構成と異なる。図１２を参照すれば明らかなように、表示部１２Ｃにおいてもカラーフィルター８１Bは、画素ＰxRの発光領域ＨRに張り出す張り出し部８００を有し、張り出し部８００が発光領域ＨRから射出される白色光に含まれる赤色の光を遮光する遮光部の役割を果たす。このような遮光部を有するため、画素ＰxRの開口部の巾Ｌ2Rは発光領域ＨRの巾Ｌ1Rよりも小さくなり、第１実施形態と同じ効果が奏される。
【００５４】
＜Ｂ−３．第４実施形態＞
図１３は、本発明の第４実施形態に係る電気光学装置１の表示部１２Ｄの構成の一例を示す平面図であり、図１４は、図１３におけるＥ−ｅ線に沿った表示部１２Ｄの部分断面図である。表示部１２Ｄの構成は、以下の２つの点が表示部１２Ｃの構成と異なる。第１に、表示部１２Ｄにおいては、カラーフィルター８１Bは、画素ＰｘＲの発光領域ＨRに張り出していない点である。そして、第２に、表示部１２Ｄは、画素ＰxRと画素ＰxBの間にブラックマトリクスＢＭを有する点である。ブラックマトリクスＢＭは、クロムやチタンなどの金属で形成されても良く、光を透過させない樹脂で構成しても良い。図１４に示すように、ブラックマトリクスＢＭには発光領域ＨRに張り出す張り出し部８１０が設けられており、張り出した部８１０が発光領域ＨRから射出される白色光に含まれる赤色の光を遮光する遮光部の役割を果たす。このように、表示部１２Ｄでは、画素ＰxRと画素ＰxBの間に設けられたブラックマトリクスＢＭが、発光領域ＨRからの射出される白色光に含まれる赤色の光を遮光する遮光部の役割を果たすため、画素ＰxRの開口部の巾Ｌ2Rは発光領域ＨRの巾Ｌ1Rよりも小さくなり、第１実施形態と同じ効果が奏される。
【００５５】
＜Ｂ−４．第５実施形態＞
図１５は、本発明の第５実施形態に係る電気光学装置１の表示部１２Ｅの構成の一例を示す平面図であり、図１６は、図１３におけるＥ−ｅ線に沿った表示部１２Ｅの部分断面図である。表示部１２Ｅの構成は、以下の２つの点が表示部１２Ｄの構成と異なる。第１に、表示部１２Ｄでは、カラーフィルター８１R、８１Bおよび８１Gが保護基板９側に設けられており、接着層９０を有さない点である。第２に、表示部１２Ｄでは、画素ＰxRと画素ＰxGの間にもブラックマトリクスＢＭを有し、さらに画素ＰxGと画素ＰxBの間にもブラックマトリクスＢＭを有する点である。
【００５６】
図１５および図１６に示すように、画素ＰxRと画素ＰxGの間のブラックマトリクスＢＭ、および画素ＰxRと画素ＰxBの間のブラックマトリクスＢＭは、画素ＰxGと画素ＰxBの間のブラックマトリクスＢＭよりも巾が大きく、何れも発光領域ＨRに張り出す張り出し部８１０を有する。このため、画素ＰxRと画素ＰxGの間のブラックマトリクスＢＭ、および画素ＰxRと画素ＰxBの間のブラックマトリクスＢＭは、発光領域ＨRから射出される白色光に含まれる赤色の光を遮光する遮光部の役割を果たす。よって、本実施形態によっても第１実施形態と同じ効果が得られる。
【００５７】
図１５および図１６に示す例では、画素ＰxGと画素ＰxBの間のブラックマトリクスＢＭは発光領域ＨGへ張り出していないが、発光領域ＨGへ張り出す張り出し部８１０を当該ブラックマトリクスＢＭに設け、発光領域ＨGから射出される白色光に含まれる緑色の光を遮光する遮光部の役割を担わせても良い。要は、第１の画素、第２の画素および第３の画素と、第１の画素と第２の画素の間に設けられた第１の遮光部と、第２の画素と第３の画素の間に設けられた第２の遮光部と、を備え、第１の遮光部の巾と第２の遮光部の巾とが異なる電気光学装置であれば良い。第１の画素とは、例えば画素ＰxRであり、第２の画素とは、例えば画素ＰxBであり、第３の画素とは例えば、画素ＰxGである。また、第１の遮光部とは、例えば画素ＰxRと画素ＰxBの間のブラックマトリクスＢＭ、或いはカラーフィルター８１Bの発光領域ＨGへの張り出し部である。そして、第２の遮光部とは、例えば画素ＰxGと画素ＰxBの間のブラックマトリクスＢＭであって発光領域ＨGへ張り出す張り出し部を有するブラックマトリクスＢＭ、或いはカラーフィルター８１Bの発光領域ＨGへの張り出し部である。上記電気光学装置において白色表示の際に発光素子に流れる電流の電流値が第１の画素において最小となる場合には、第１の遮光部の巾を第２の遮光部の巾よりも大きくしておけば良い。なお、上記第１〜第４実施形態は、当該電子光学装置において第２の遮光部の巾をゼロとした場合に相当する。
【００５８】
前述したように、カラーフィルター８１R或いはカラーフィルター８１Bに、発光領域ＨGから射出される白色光に含まれる緑色の光を遮光する遮光部の役割を担わせることも勿論可能である。しかし、カラーフィルター８１Rおよびカラーフィルター８１Bの各々は何れも緑色の光の一部を透過させる。このため、遮光効率を考慮すれば、発光領域ＨGから射出される白色光に含まれる緑色の光を遮光する遮光部についてはブラックマトリクスＢＭで実現することが好ましい。
【００５９】
＜Ｂ−５．第６実施形態＞
図１７は、本発明の第６実施形態に係る電気光学装置１の表示部１２Ｆの構成の一例を示す平面図である。本実施形態の表示部１２Ｆでは、カラーフィルター８１Bは、表示領域ＨRのうちＹ方向の所定の長さＬＹの区間を除いて表示領域ＨRを覆い尽くすように張り出した張り出し部８００を有する。このため、画素ＰxRの開口部の面積は発光領域ＨRの面積よりも小さくなり、第１実施形態と同じ効果が奏される。
【００６０】
＜Ｃ．応用例＞
上述した各実施形態に係る電気光学装置１は、各種の電子機器に適用することができる。以下、本発明に係る電子機器について説明する。
【００６１】
図１８は本発明の電気光学装置１を採用した電子機器としてのヘッドマウントディスプレイ３００の外観を示す斜視図である。図１８に示されるように、ヘッドマウントディスプレイ３００は、テンプル３１０、ブリッジ３２０、投射光学系３０１Ｌ、および、投射光学系３０１Ｒを備える。そして、図１８において、投射光学系３０１Ｌの奥には左眼用の電気光学装置１（図示省略）が設けられ、投射光学系３０１Ｒの奥には右眼用の電気光学装置１（図示省略）が設けられる。
図１９は、電気光学装置１を採用した可搬型のパーソナルコンピューター４００の斜視図である。パーソナルコンピューター４００は、各種の画像を表示する電気光学装置１と、電源スイッチ４０１およびキーボード４０２が設けられた本体部４０３と、を備える。
なお、本発明に係る電気光学装置１が適用される電子機器としては、図１８および図１９に例示した機器のほか、携帯電話機、スマートフォン、携帯情報端末（ＰＤＡ：Personal Digital Assistants）、デジタルスチルカメラ、ビデオカメラが挙げられる。他にも、本発明に係る電気光学装置１が適用される電子機器としては、テレビ、カーナビゲーション装置、車載用の表示器（インパネ）、電子手帳、電子ペーパー、電卓、ワードプロセッサー、ワークステーション、テレビ電話、ＰＯＳ端末等が挙げられる。更に、本発明に係る電気光学装置１は、プリンター、スキャナー、複写機、および、ビデオプレーヤー等の電子機器に設けられる表示部として適用することができる。
【符号の説明】
【００６２】
１…電気光学装置、３…発光素子、５…素子基板、８…カラーフィルター層、９…保護基板、１０…表示パネル、１１…駆動回路、１２、１２Ｂ、１２Ｃ、１２Ｄ、１２Ｅ、１２Ｆ…表示部、１４…データ線、２０…制御回路、３０…発光層、３１…画素電極、３２…発光機能層、３３…共通電極、４０…供給回路、４１…トランジスター、４２…トランジスター、４４…保持容量、５０…基板、５１…反射層、５２…距離調整層、６０…封止層、７０…バンク、８１R…カラーフィルター、８１G…カラーフィルター、８１B…カラーフィルター、９０…接着層、８００，８１０…張り出し部、ＢL…画素ブロック、Ｈ…発光領域、ＨR…発光領域、ＨG…発光領域、ＨB…発光領域、Ｐx…画素、ＰxR…画素、ＰxG…画素、ＰxB…画素。
【図１】
2019012621.tif 000003
【図２】
2019012621.tif 000004
【図３】
2019012621.tif 000005
【図４】
2019012621.tif 000006
【図５】
2019012621.tif 000007
【図６】
2019012621.tif 000008
【図７】
2019012621.tif 000009
【図８】
2019012621.tif 000010
【図９】
2019012621.tif 000011
【図１０】
2019012621.tif 000012
【図１１】
2019012621.tif 000013
【図１２】
2019012621.tif 000014
【図１３】
2019012621.tif 000015
【図１４】
2019012621.tif 000016
【図１５】
2019012621.tif 000017
【図１６】
2019012621.tif 000018
【図１７】
2019012621.tif 000019
【図１８】
2019012621.tif 000020
【図１９】
2019012621.tif 000021
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
第１の画素、第２の画素および第３の画素と、
前記第１の画素と前記第２の画素との間に設けられた第１の遮光部と、
前記第２の画素と前記第３の画素との間の第２の遮光部と、を備え、
前記第１の遮光部の巾と前記第２の遮光部の巾とが異なる
ことを特徴とする電気光学装置。
【請求項２】
前記第１の画素、前記第２の画素、および前記第３の画素の各々は、発光素子を備え、
白色表示の際に各発光素子へ供給する電流の電流値は、前記第１の画素の発光素子へ供給する電流の電流値が最も小さく、
前記第１の遮光部の巾は前記第２の遮光部の巾よりも大きい
ことを特徴とする請求項１に記載の電気光学装置。
【請求項３】
前記第１の画素の発光領域を覆う第１のカラーフィルターと、
前記第２の画素の発光領域を覆う第２のカラーフィルターと、
前記第３の画素の発光領域を覆う第３のカラーフィルターと、
を備え、
前記第１のカラーフィルターは前記第２のカラーフィルターおよび前記第３のカラーフィルターに比較して波長の長い光を透過させ、
前記第２のカラーフィルターは、前記第１の画素の発光領域へ張り出す張り出し部を有し、
前記第１の遮光部は、前記張り出し部である、
ことを特徴とする請求項２に記載の電気光学装置。
【請求項４】
前記第２のカラーフィルターは前記第３のカラーフィルターに比較して波長の短い光を透過させることを特徴とする請求項３に記載の電気光学装置。
【請求項５】
前記第１の画素は前記第２の画素に挟まれていることを特徴とする請求項４に記載の電気光学装置。
【請求項６】
前記第１の遮光部および前記第２の遮光部のうちの少なくとも一方は、ブラックマトリクスであることを特徴とする請求項１乃至５のうち何れか１項に記載の電気光学装置。
【請求項７】
第１の発光領域を有する第１の画素と、
第２の発光領域を有する第２の画素と、
第３の発光領域を有する第３の画素と、
前記第１の発光領域に重ねて配置される第１のカラーフィルターと、
前記第２の発光領域に重ねて配置される第２のカラーフィルターと、
前記第３の発光領域に重ねて配置される第３のカラーフィルターと、
を備え、
前記第２のカラーフィルターは、前記第１の発光領域へ張り出す張り出し部を有する、
ことを特徴とする電気光学装置。
【請求項８】
前記第１のカラーフィルターは前記第２のカラーフィルターおよび前記第３のカラーフィルターに比較して波長の長い光を透過させる、
ことを特徴とする請求項７に記載の電気光学装置。
【請求項９】
請求項１乃至８のうち何れか１項に記載の電気光学装置を備えることを特徴とする電子機器。